(57)【要約】【課題】ハンドルの回転操作を軽くでき、シール部材の消耗を最小限に抑えられるとともに、ハンドルの組み替えに際してシール部材の付け替えを必要としないシール構造を有する魚釣用スピニングリールを提供する。【解決手段】本発明の一実施形態に係る魚釣用スピニングリールは、リール本体１の左右の両側でリール本体１に対してシール状態で取り付けられ、その径方向内側でハンドル軸１２と摺接するための左右のシール部材２０，２２を備える。左右の各シール部材２０，２２の径方向内側の摺接部２０ａ，２２ａは、駆動軸６に対してハンドル軸１２が取り付けられたときだけハンドル軸１２と摺接するように形成される。【選択図】図３
2011092124.tif 000002
【特許請求の範囲】
【請求項１】
釣糸が巻回保持されるスプールを支持するリール本体と、前記リール本体に設けられ、前記スプールに釣糸を巻き取るべく構成された巻き取り駆動機構に連結される駆動軸と、前記駆動軸に着脱可能に嵌合するハンドル軸を有するハンドルとを備え、前記駆動軸に対する前記ハンドル軸の着脱によってハンドルをリール本体の左右で付け替え可能な魚釣用スピニングリールであって、
前記リール本体の左右の両側でリール本体に対してシール状態で取り付けられ、その径方向内側で前記ハンドル軸と摺接するための左右のシール部材を備え、
前記左右の各シール部材の径方向内側の摺接部は、前記駆動軸に対して前記ハンドル軸が取り付けられたときだけ前記ハンドル軸と摺接するように形成されることを特徴とする魚釣用スピニングリール。
【請求項２】
前記各シール部材は、前記リール本体に対して着脱自在に取り付けられていることを特徴とする請求項１に記載の魚釣用スピニングリール。
【請求項３】
前記シール部材は、その径方向に対して略直交する方向に面して前記閉塞部材とシール状態で接触可能な側面部を有することを特徴とする請求項１または請求項２に記載の魚釣用スピニングリール。
【請求項４】
前記シール部材は、前記閉塞部材とシール状態で接触可能な外面部を前記摺接部と径方向で対向するその径方向外側に有することを特徴とする請求項１ないし請求項３のいずれか１項に記載の魚釣用スピニングリール。
【請求項５】
釣糸が巻回保持されるスプールを支持するリール本体と、前記リール本体に設けられ、前記スプールに釣糸を巻き取るべく構成された巻き取り駆動機構に連結される駆動軸と、前記駆動軸に着脱可能に嵌合するハンドル軸を有するハンドルとを備え、前記駆動軸に対する前記ハンドル軸の着脱によってハンドルをリール本体の左右で付け替え可能であり、ハンドルが取り付けられていないリール本体の側のハンドル取付開口には該開口を塞ぐ閉塞部材が着脱自在に取着される魚釣用スピニングリールであって、
前記リール本体の左右の両側でリール本体に対してシール状態で取り付けられ、その径方向内側で前記ハンドル軸と摺接する右側シール部材および左側シール部材を備え、
前記ハンドルが前記リール本体の右側に取り付けられる際には、右側シール部材の径方向内側の摺接部が前記ハンドル軸と摺接するとともに、左側シール部材は、前記ハンドル軸と摺接することなく前記閉塞部材とシール状態で接触し、
前記ハンドルが前記リール本体の左側に取り付けられる際には、左側シール部材の径方向内側の摺接部が前記ハンドル軸と摺接するとともに、右側シール部材は、前記ハンドル軸と摺接することなく前記閉塞部材とシール状態で接触することを特徴とする魚釣用スピニングリール。
【発明の詳細な説明】
【技術分野】
【０００１】
本発明は、魚釣用スピニングリールに関し、詳細には、ハンドル軸の防水機構に特徴を有する魚釣用スピニングリールに関する。
【背景技術】
【０００２】
一般に、魚釣用スピニングリールは、リール本体と、リール本体に取り付けられて釣糸が巻回されるスプールとを備えている。前記リール本体には、前記スプールに釣糸を巻き取るために操作されるハンドルが回転可能に支持されている。そして、このハンドルは、通常、釣人が握持する摘み部と、リール本体の巻き取り駆動機構の一部である駆動歯車（駆動歯車を有する駆動軸）に連結されるハンドル軸と、このハンドル軸と摘み部とを繋ぐハンドル本体とによって構成されている。
【０００３】
従来、この種の魚釣用スピニングリールは、ハンドル軸の端部に軸心方向に延びる螺子孔を形成しておき、リール本体に設けられた前記駆動軸の一方側（例えば右側）で該駆動軸を前記螺子孔に挿入嵌合することにより、前記駆動軸にハンドルを取り付けるようにしている。そして、このような構成では、前記駆動軸の他方側（例えば左側）でも該駆動軸を前記螺子孔に挿入嵌合することが可能となっており、それにより、リール本体に対してハンドルを左右で組み替える（付け替える）ことができるようになっている。この場合、ハンドルが取り付けられない駆動軸の側では、リール本体内部を外部に対して閉塞するためのキャップがリール本体に対して取着される。
【０００４】
ところで、このようにハンドルを組み替えることができる構造では、ハンドル軸において防水を行なう必要がある。スピニングリールのハンドル軸の防水技術に関しては、例えば特許文献１や特許文献２に開示されるような技術が知られている。すなわち、特許文献１では、リール本体（ハウジング）の左右の両側において、駆動軸を回転可能に支持する軸受（ボールベアリング）の外側にシール部材（パッキンリング）が配設されており、該シール部材の径方向外側は軸受の外輪によって押し潰されることにより防水を行ない、シール部材の径方向内側は駆動軸（ハンドル軸）に摺動接触することにより防水を図っている。一方、特許文献２では、ハンドル軸上にシール部材が配設されており、該シール部材の径方向内側はハンドル軸に圧入されることにより防水を行ない、シール部材の径方向外側はリール本体側に摺動接触することにより防水を図っている。
【先行技術文献】
【特許文献】
【０００５】
【特許文献１】特開２００１−２５１９９６号公報
【特許文献２】特開２００２−１９１２７０号公報
【発明の概要】
【発明が解決しようとする課題】
【０００６】
しかしながら、特許文献１では、ハンドルを左右のいずれに組み付けても、常にリール本体（ハウジング）の左右の両側で、すなわち、駆動軸の両側でシール部材が摺動するため、シール部材と駆動軸（ハンドル軸）との間で生じる摩擦が大きくなり、したがって、ハンドルの回転操作が重くなるという問題がある。
【０００７】
一方、特許文献２では、ハンドル軸上にシール部材が配設されているため、ハンドルの組み付け位置にかかわらず、シール部材の摺動箇所はリール本体の片側（ハンドルが組み付けられる側の左右いずれか１箇所）であるが、シール部材の摺動部位がシール部材の径方向外側であるため、特許文献１のように径方向内側で摺動する場合に比べて摺動半径が大きくなってしまう。そのため、シール部材とリール本体側との間で生じる摩擦が大きくなり、したがって、ハンドルの回転操作が重くなる。
【０００８】
また、ハンドルの組み替えが可能な構造において、前記２つの特許文献の技術を組み合わせる場合、すなわち、シール部材をリール本体の片側で且つ径方向内側でのみ摺動させる場合には、ハンドルが取り付けられる側およびハンドルが取り付けられていない側のそれぞれにおいて形態の異なるシール部材を別々に設けて、ハンドルの左右の組み替え時にシール部材を左右で付け替える必要がでてくる場合もある。こうした場合には、付け替え作業に手間がかかるだけでなく、付け替え作業時にシール部材などの構成要素の紛失や付け忘れなどといった問題も発生し、ハンドルを釣り場で付け替えることが難しくなる。
【０００９】
また、前記２つの特許文献では、ハンドルを左右で組み替えても、シール部材が常に相手側の部材に摺動接触されるため、シール部材の消耗が激しい。
【００１０】
本発明は、前記事情に着目してなされたものであり、その目的とするところは、ハンドルの回転操作を軽くでき、シール部材の消耗を最小限に抑えられるとともに、ハンドルの組み替えに際してシール部材の付け替えを必要としないシール構造を有する魚釣用スピニングリールを提供することにある。
【課題を解決するための手段】
【００１１】
前記課題を解決するために、請求項１に記載の発明は、釣糸が巻回保持されるスプールを支持するリール本体と、前記リール本体に設けられ、前記スプールに釣糸を巻き取るべく構成された巻き取り駆動機構に連結される駆動軸と、前記駆動軸に着脱可能に嵌合するハンドル軸を有するハンドルとを備え、前記駆動軸に対する前記ハンドル軸の着脱によってハンドルをリール本体の左右で付け替え可能な魚釣用スピニングリールであって、前記リール本体の左右の両側でリール本体に対してシール状態で取り付けられ、その径方向内側で前記ハンドル軸と摺接するための左右のシール部材を備え、前記左右の各シール部材の径方向内側の摺接部は、前記駆動軸に対して前記ハンドル軸が取り付けられたときだけ前記ハンドル軸と摺接するように形成されることを特徴とする。
【００１２】
この請求項１に記載の発明によれば、シール部材の径方向内側の摺接部がハンドル軸と摺接しており、したがって、径方向外側で摺接する場合に比べて摺動半径が小さいため、また、駆動軸に対してハンドル軸が取り付けられたときだけハンドル軸と摺接するようにシール部材が形成されており、したがって、ハンドルが取り付けられる側のシール部材だけが摺接部でハンドル軸と摺接するため（シール部材がリール本体の片側でのみ摺接するため）、ハンドルの回転操作を従来（特に、特許文献１，２）に比べて軽くすることができる。また、上記構成では、ハンドルが取り付けられる側のシール部材だけが摺接部でハンドル軸と摺接するため、すなわち、ハンドルを左右で組み替えると、摺接に関与するシール部材も切り替わるため、一方のシール部材だけが常に摺接するようなことがなく、シール部材の消耗を最小限に抑えられる。更に、上記構成では、ハンドルの左右の組み替えに対応してシール部材が左右にそれぞれ設けられているため、ハンドルの組み替えに際してシール部材の付け替えを必要としない。そのため、ハンドルの左右の組み替えが容易であるとともに、組み替え作業時にシール部材などの構成要素の紛失や付け忘れなどといった問題も発生しない。
【００１３】
また、請求項２に記載の発明は、請求項１に記載の発明において、前記各シール部材は、前記リール本体に対して着脱自在に取り付けられていることを特徴とする。
【００１４】
この請求項２に記載の発明によれば、請求項１に記載の発明と同様の作用効果が得られるとともに、シール部材がリール本体に対して着脱自在であるため、消耗したシール部材の交換が容易になる。
【００１５】
また、請求項３に記載の発明は、請求項１または請求項２に記載の発明において、前記シール部材は、その径方向に対して略直交する方向に面して前記閉塞部材とシール状態で接触可能な側面部を有することを特徴とする。
【００１６】
この請求項３に記載の発明によれば、請求項１または請求項２に記載の発明と同様の作用効果が得られるとともに、シール部材が、その径方向に対して略直交する方向に面して前記閉塞部材とシール状態で接触可能な側面部を有しているため、ハンドルの左右の組み替えに伴って、長期間にわたる使用により径方向と異なる方向に変形された摺接部などのシール部材の部位をその側面部と閉塞部材とのシール接触により（正規の径方向に）矯正することが可能になる。
【００１７】
また、請求項４に記載の発明は、請求項１ないし請求項３のいずれか１項に記載の発明において、前記シール部材は、前記閉塞部材とシール状態で接触可能な外面部を前記摺接部と径方向で対向するその径方向外側に有することを特徴とする。
【００１８】
この請求項４に記載の発明によれば、請求項１ないし請求項３のいずれか１項に記載の発明と同様の作用効果が得られるとともに、前記シール部材が、前記閉塞部材とシール状態で接触可能な外面部を前記摺接部と径方向で対向するその径方向外側に有しているため、シール部材に作用する負荷を径方向で分散させる（シール圧が径方向外側と内側とで分散される）ことができ、シール部材の耐久性が向上する。
【００１９】
また、請求項５に記載の発明は、釣糸が巻回保持されるスプールを支持するリール本体と、前記リール本体に設けられ、前記スプールに釣糸を巻き取るべく構成された巻き取り駆動機構に連結される駆動軸と、前記駆動軸に着脱可能に嵌合するハンドル軸を有するハンドルとを備え、前記駆動軸に対する前記ハンドル軸の着脱によってハンドルをリール本体の左右で付け替え可能であり、ハンドルが取り付けられていないリール本体の側のハンドル取付開口には該開口を塞ぐ閉塞部材が着脱自在に取着される魚釣用スピニングリールであって、前記リール本体の左右の両側でリール本体に対してシール状態で取り付けられ、その径方向内側で前記ハンドル軸と摺接する右側シール部材および左側シール部材を備え、前記ハンドルが前記リール本体の右側に取り付けられる際には、右側シール部材の径方向内側の摺接部が前記ハンドル軸と摺接するとともに、左側シール部材は、前記ハンドル軸と摺接することなく前記閉塞部材とシール状態で接触し、前記ハンドルが前記リール本体の左側に取り付けられる際には、左側シール部材の径方向内側の摺接部が前記ハンドル軸と摺接するとともに、右側シール部材は、前記ハンドル軸と摺接することなく前記閉塞部材とシール状態で接触することを特徴とする。
【００２０】
この請求項５に記載の発明によれば、シール部材の径方向内側の摺接部がハンドル軸と摺接しており、したがって、径方向外側で摺接する場合に比べて摺動半径が小さいため、また、ハンドルが取り付けられる側のシール部材だけが摺接部でハンドル軸と摺接するため（シール部材がリール本体の片側でのみ摺接するため）、ハンドルの回転操作を従来（特に、特許文献１，２）に比べて軽くすることができる。また、上記構成では、ハンドルが取り付けられる側のシール部材だけが摺接部でハンドル軸と摺接するため、すなわち、ハンドルを左右で組み替えると、摺接に関与するシール部材も切り替わるため、一方のシール部材だけが常に摺接するようなことがなく、シール部材の消耗を最小限に抑えられる。更に、上記構成では、ハンドルの左右の組み替えに対応してシール部材が左右にそれぞれ設けられているため、ハンドルの組み替えに際してシール部材の付け替えを必要としない。そのため、ハンドルの左右の組み替えが容易であるとともに、組み替え作業時にシール部材などの構成要素の紛失や付け忘れなどといった問題も発生しない。
【発明の効果】
【００２１】
本発明によれば、ハンドルの回転操作を軽くでき、シール部材の消耗を最小限に抑えられるとともに、ハンドルの組み替えに際してシール部材の付け替えを必要としないシール構造を有する魚釣用スピニングリールを提供できる。
を提供できる。
【図面の簡単な説明】
【００２２】
【図１】本発明の第１の実施形態に係る魚釣用スピニングリールの全体側面図である。
【図２】図１のＡ−Ａ線に沿う断面図である。
【図３】図２の要部拡大断面図である。
【図４】本発明の第２の実施形態に係る魚釣用スピニングリールの図２に対応する断面図である。
【図５】図４の要部拡大断面図である。
【図６】本発明の第３の実施形態に係る魚釣用スピニングリールの図２に対応する断面図である。
【図７】図６の要部拡大断面図である。
【発明を実施するための形態】
【００２３】
以下、添付図面を参照して、本発明の一実施形態について説明する。  
図１〜図３は本発明の第１の実施形態を示している。図１に示されるように、本実施形態の魚釣用スピニングリールのリール本体１には、釣竿に装着されるリール脚１ａが一体形成されており、その前方には回転可能に支持されたロータ２と、ロータ２の回転運動と同期して前後動可能に支持され、釣糸が巻回保持されるスプール３が配設されている。
【００２４】
また、図２に示されるように、リール本体１内には、ロータ２を回転駆動すると共に、スプール３を前後往復動させるための（スプール３に釣糸を巻き取るべく構成された）公知の巻き取り駆動機構５が配設されている。この巻き取り駆動機構５には、スプール３の支軸に対して直交する方向に延出し、一対の軸受９，９を介して回転可能に支持された駆動軸６が連結されており、その駆動軸６の一端側には、巻き取り駆動機構５の一部を構成する駆動歯車（フェースギヤ）７が装着されている。
【００２５】
この場合、駆動歯車７は、駆動軸６と共に一体的に形成されていても良く、あるいは、別体として形成されて駆動軸６に対して一体回転可能に装着されていても良い。また、駆動軸６の両側には、以下に説明するハンドル取り付け構造によってハンドル１０の後述するハンドル軸１２が着脱可能に装着（嵌合）できるようになっており、ハンドル１０が装着されない側の駆動軸６の端部は、リール本体１に対応して形成される取付開口６０ａ（または６０ｂ）にキャップ（閉塞部材）８を被着することで閉塞された状態になる。すなわち、ハンドル取り付け構造によって、リール本体１の左右いずれにもハンドル１０が装着可能となっている（駆動軸６に対するハンドル軸１２の着脱によってハンドル１０をリール本体１の左右で付け替え可能となっている）。
【００２６】
図２および図３に示されるように、本実施形態におけるハンドル１０は、巻き取り駆動機構５の一部である駆動歯車７を回転駆動すべく駆動軸６に連結されるハンドル軸１２と、このハンドル軸１２を有するハンドル本体１３と、ハンドル本体１３に取り付けられ、釣人が握持する摘み部１５とを備えている。ハンドル本体１３は、ハンドル軸１２と一体回転するよう構成されており、リール本体１からハンドル軸方向に沿って外方に突出するハンドルスタンド１３ａと、このハンドルスタンド１３ａの突出端に径方向外方に向けて設けられるアーム１３ｂとを備えており、摘み部１５は、アーム１３ｂの先端部分に回転可能に設けられている。なお、アーム１３ｂは、公知の折り畳み機構によって、ハンドルスタンド１３ａに対して折り畳みできるように構成されていても良い。
【００２７】
また、ハンドル軸１２は、円筒状に構成されており、その内孔の内周面にはその開口端部から順次に大径雌ネジ部１２ａと小径雌ネジ部１２ｂとが形成されている。一方、ハンドル軸１２が着脱自在に取り付けられる駆動軸６には、小径雌ネジ部１２ｂと螺合可能な小径雄ネジ部３９が右側小径端部６ｂの外周面に形成されるとともに、大径雌ネジ部１２ａと螺合可能な大径雄ネジ部１９が左側大径端部６ａの外周面に形成されている。
【００２８】
また、リール本体１の左右両側にはそれぞれ、キャップ８を着脱自在に取り付けるための取付フランジ１ａ，１ｂが設けられており、各取付フランジ１ａ，１ｂの外周面には雄ネジ３２ａ，３２ｂが形成されている。また、これらの取付フランジ１ａ，１ｂには、ハンドル１０を取り付けるための前述した取付開口６０ａ，６０ｂが形成されている。また、取付フランジ１ａ，１ｂの先端には、後述するシール部材２０，２２をシール状態で着脱自在に取り付けるための取付部３０ａ，３０ｂが設けられている。
【００２９】
また、取付開口６０ａ，６０ｂを閉塞するためのキャップ８は、開口端付近の内周面に、取付フランジ１ａ，１ｂの雄ネジ３２ａ，３２ｂに螺合可能な雌ネジ８ｂが形成されている。また、キャップ８は、その内側底面から円筒部８ａが延出しており、この円筒部８ａの外径はハンドル軸１２の外径と略同一に設定されている。
【００３０】
リール本体１の取付部３０ａ，３０ｂに着脱自在に取り付けられるシール部材は、右側シール部材２２と左側シール部材２０とから成り、リール本体１とハンドル軸１２との間をシールするようになっている。具体的には、各シール部材２０，２２は、リール本体１の取付部３０ａ，３０ｂの外周面の例えば凹陥溝にシール状態で係止される径方向外側の取付部２０ｂ，２２ｂと、ハンドル軸１２の外周面に摺接する径方向内側の摺接部２０ａ，２２ａとを有しており、その断面が取付部２０ｂ，２２ｂから摺接部２０ａ，２２ａへ向かって略Ｌ字状に延びる略リング形状を成している。また、左右の各シール部材２０，２２の径方向内側の摺接部２０ａ，２２ｂは、駆動軸６に対してハンドル軸１２が取り付けられたときに（特に本実施形態では、駆動軸６に対してハンドル軸１２が取り付けられたときだけ）ハンドル軸１２の外周面と摺接するように形成されている。具体的には、各シール部材２０，２２の内径（摺接部２０ａ，２２ａの内径）がハンドル軸１２の外径と略同一に設定されており、一方、駆動軸６の左側大径端部６ａの外径は各シール部材２０，２２の内径（摺接部２０ａ，２２ａの内径）よりも小さく設定されている。
【００３１】
したがって、上記構成では、図示のように、ハンドル軸１２の小径雌ネジ部１２ｂを駆動軸６の右側小径端部６ｂの小径雄ネジ部３９に螺合させてハンドル１０をリール本体１の右側に取り付けるとともに、リール本体１の左側の取付フランジ１ａの雄ネジ３２ａにキャップ８の雌ネジ８ｂを螺合させて左側の取付開口６０ａを閉塞すると、右側シール部材２２の径方向内側の摺接部２２ａがハンドル軸１２と摺接するとともに、左側シール部材２２は、ハンドル軸１２および駆動軸６と摺接することなくキャップ８の円筒部８ａとシール状態で接触してリール本体１とキャップ８との間をシールし、それにより、取付開口６０ａをシールする。一方、図示しないが、ハンドル軸１２の小径雌ネジ部１２ｂを駆動軸６の左側大径端部６ａの大径雄ネジ部１９に螺合させてハンドル１０をリール本体１の左側に取り付けるとともに、リール本体１の右側の取付フランジ１ａの雄ネジ３２ａにキャップ８の雌ネジ８ｂを螺合させて右側の取付開口６０ｂを閉塞すると、左側シール部材２０の径方向内側の摺接部２０ａがハンドル軸１２と摺接するとともに、右側シール部材２２は、ハンドル軸１２および駆動軸６と摺接することなくキャップ８の円筒部８ａとシール状態で接触してリール本体１とキャップ８との間をシールし、それにより、取付開口６０ｂをシールする。
【００３２】
以上説明したように、本実施形態によれば、シール部材２０，２２の径方向内側の摺接部２０ａ，２２ａがハンドル軸と摺接するようになっており、したがって、径方向外側で摺接する場合に比べて摺動半径が小さいため、また、駆動軸６に対してハンドル軸１２が取り付けられたときだけハンドル軸１２と摺接するようにシール部材２０，２２が形成されており、したがって、ハンドル１０が取り付けられる側のシール部材２０（または２２）だけが摺接部２０ａ（または２２ａ）でハンドル軸１２と摺接するため（シール部材２０，２２がリール本体１の片側でのみ摺接するため）、ハンドル１０の回転操作を従来（特に、特許文献１，２）に比べて軽くすることができる。また、本実施形態の構成では、ハンドル１０が取り付けられる側のシール部材２０（または２２）だけが摺接部２０ａ（または２２ａ）でハンドル軸１２と摺接するため、すなわち、ハンドル１０を左右で組み替えると、摺接に関与するシール部材も切り替わるため、一方のシール部材だけが常に摺接するようなことがなく、シール部材２０，２２の消耗を最小限に抑えられる。更に、本実施形態の構成では、ハンドル１０の左右の組み替えに対応してシール部材２０，２２が左右にそれぞれ設けられているため、ハンドル１０の組み替えに際してシール部材２０，２２の付け替えを必要としない。そのため、ハンドル１０の左右の組み替えが容易であるとともに、組み替え作業時にシール部材２０，２２などの構成要素の紛失や付け忘れなどといった問題も発生しない。また、本実施形態では、シール部材２０，２２がリール本体に対して着脱自在であるため、消耗したシール部材の交換が容易になる。
【００３３】
図４および図５は本発明の第２の実施形態を示している。本実施形態は、キャップ８に対するシール部材２０，２２のシール接触位置が第１の実施形態と異なる。すなわち、シール部材２０，２２は、第１の実施形態では説明しなかったが、その径方向に対して略直交する方向に面してキャップ８とシール状態で接触可能な側面部２０ｃ，２２ｃを有しており、本実施形態では、この側面部２０ｃ，２２ｃでシール部材２０，２２がキャップ８の段部８ｃの端面にシール状態で接触できるようになっている。
【００３４】
このような構成では、シール部材２０，２２が、その径方向に対して略直交する方向に面してキャップ８とシール状態で接触可能な側面部２０ｃ，２２ｃを有しているため、ハンドル１０の左右の組み替えに伴って、長期間にわたる使用により径方向と異なる方向に変形された摺接部２０ａ，２２ａなどのシール部材２０，２２の部位をその側面部２０ｃ，２２ｃとキャップ８とのシール接触により（正規の径方向に）矯正することが可能になる（シール部材２０，２２の側面部２０ｃ，２２ｃがキャップ８の段部８ｃの端面によって押圧されるため矯正できる）。
【００３５】
図６および図７は本発明の第３の実施形態を示している。本実施形態は、キャップ８に対するシール部材２０，２２のシール接触位置が第１および第２の実施形態と異なる。すなわち、シール部材２０，２２は、第１および第２の実施形態では説明しなかったが、キャップ８とシール状態で接触可能な外面部２０ｄ，２２ｄを摺接部２０ａ，２２ａと径方向で対向するその径方向外側に有しており、本実施形態では、この外面部２０ｄ，２２ｄでシール部材２０，２２がキャップ８の周側面８ｄにシール状態で接触できるようになっている。
【００３６】
このような構成では、シール部材２０，２２が、キャップ８とシール状態で接触可能な外面部２０ｄ，２２ｄを摺接部２０ａ，２２ａと径方向で対向するその径方向外側に有しているため、ハンドル１０の左右の組み替えに伴って、シール部材２０，２２に作用する負荷を径方向で分散させる（シール圧が径方向外側と内側とで分散される）ことができ、シール部材２０，２２の耐久性が向上する。
【符号の説明】
【００３７】
１  リール本体
３  スプール
５  巻き取り駆動機構
６  駆動軸
８  キャップ（閉塞部材）
１０  ハンドル
１２  ハンドル軸
２０  左側シール部材
２０ａ  摺接部
２０ｃ，２２ｃ  側面部
２０ｄ、２２ｄ  外面部
２２  右側シール部材
２２ａ  摺接部
【図１】
2011092124.tif 000003
【図２】
2011092124.tif 000004
【図３】
2011092124.tif 000005
【図４】
2011092124.tif 000006
【図５】
2011092124.tif 000007
【図６】
2011092124.tif 000008
【図７】
2011092124.tif 000009